(57)【要約】【課題】モータによりクリープトルクを発生する車両において、運転者が要求する無駄な消費電力の削減と運転性能との両立を図る。【解決手段】ＥＣＵは、車速Ｖに基づくクリープトルク反映率とブレーキペダル操作量ＢＰに基づくクリープトルク反映率とに基づいて、クリープトルク反映率を設定するステップ（Ｓ１０８）と、ブレーキがオンされ（Ｓ１１２にてＹＥＳ）、減速中であり（Ｓ１１４にてＹＥＳ）、エコスイッチがオンであると（Ｓ１１６にてＹＥＳ）、設定したクリープトルク反映率を０に低減して更新するステップ（Ｓ１１８）と、要求駆動力とクリープトルク反映率とを乗算した値をクリープトルクとして算出するステップ（Ｓ１２２）と、算出されたクリープトルクをモータ３０に出力させる指令信号をインバータ３４に出力するステップ（Ｓ１２４）とを含む、プログラムを実行する。【選択図】図３
2008154429.tif 000002
【特許請求の範囲】
【請求項１】
回転電機によりクリープトルクを発生する車両の制御装置であって、
前記車両の状態に応じた要求クリープトルクを出力するように前記回転電機を制御するための手段と、
前記車両の運転者により前記ブレーキペダルが操作されていることを検出するための手段と、
前記車両が減速中であるか否かを判断するための手段と、
通常モードおよび節約モードのいずれの運転モードが前記運転者により選択されているかを検出するための検出手段と、
前記ブレーキペダルが操作されている場合において、前記車両が減速中であり、かつ前記節約モードが選択されていると、前記通常モードが選択されている場合に比べて低減された要求クリープトルクを算出するための算出手段とを含む、制御装置。
【請求項２】
前記算出手段は、クリープトルクを発生させないように前記低減された要求クリープトルクを算出するための手段を含む、請求項１に記載の制御装置。
【請求項３】
前記車両には、各々が前記通常モードと前記節約モードとを運転モードとして有する複数の装置が備えられ、
前記検出手段は、前記通常モードおよび前記節約モードのいずれの運転モードが前記複数の装置の運転モードとして前記運転者により選択されているかを検出するための手段を含む、請求項１または２に記載の制御装置。
【請求項４】
回転電機によりクリープトルクを発生する車両の制御方法であって、
前記車両の状態に応じた要求クリープトルクを出力するように前記回転電機を制御するステップと、
前記車両の運転者により前記ブレーキペダルが操作されていることを検出するステップと、
前記車両が減速中であるか否かを判断するステップと、
通常モードおよび節約モードのいずれの運転モードが前記運転者により選択されているかを検出する検出ステップと、
前記ブレーキペダルが操作されている場合において、前記車両が減速中であり、かつ前記節約モードが選択されていると、前記通常モードが選択されている場合に比べて低減された要求クリープトルクを算出する算出ステップとを含む、制御方法。
【請求項５】
前記算出ステップは、クリープトルクを発生させないように前記低減された要求クリープトルクを算出するステップを含む、請求項４に記載の制御方法。
【請求項６】
前記車両には、各々が前記通常モードと前記節約モードとを運転モードとして有する複数の装置が備えられ、
前記検出ステップは、前記通常モードおよび前記節約モードのいずれの運転モードが前記複数の装置の運転モードとして前記運転者により選択されているかを検出するステップを含む、請求項４または５に記載の制御方法。
【請求項７】
請求項４〜６のいずれかに記載の制御方法をコンピュータに実行させるためのプログラム。
【請求項８】
請求項４〜６のいずれかに記載の制御方法をコンピュータに実行させるためのプログラムをコンピュータ読み取り可能に記録した記録媒体。
【発明の詳細な説明】
【技術分野】
【０００１】
本発明は、クリープトルクを発生する車両の制御に関し、特に、回転電機によりクリープトルクを発生する車両の制御に関する。
【背景技術】
【０００２】
オートマッチック・トランスミッション（Ａ／Ｔ）車両では、走行ポジション（前進ポジションあるいは後進ポジション）が選択されている場合に、アクセルペダルが操作されていなくても、微速で車両を推進するクリープ力が発生される。電動機（モータ）によって駆動力を発生する電気自動車（ＥＶ）や、エンジンおよび電動機の両方によって駆動力を発生するハイブリッド自動車（ＨＶ）では、電動機が発生するトルクによってクリープ力が発生される。このような電動機によってクリープトルクを発生する車両において、運転性の向上および無駄な電力消費削減を図る技術が、特開２００６−５０８１１号公報（特許文献１）に開示されている。
【０００３】
特許文献１に開示された電気自動車は、所定条件の成立時に、電動機が発生する駆動力によってクリープトルクを発生する。この電気自動車は、運転者によるブレーキペダル操作を検出するための手段と、車速を検出するための手段と、クリープトルクの発生時に、予め定められた基本特性線に基づいて、車速に応じてクリープトルク指令値を設定するための第１のクリープトルク設定手段と、クリープトルクの発生時に、運転者によってブレーキペダルが踏込まれているときに、ブレーキペダルの操作量に応じてクリープトルクの上限値を設定するためのクリープトルクカット手段とを含む。クリープトルクカット手段は、ブレーキペダルの操作量に応じたクリープトルクの上限値を設定する所定の複数の上限値設定特性線にそれぞれ基づいて、クリープトルクの上限値を設定するための複数のクリープトルク上限値設定手段と、車両状況に応じて、複数のクリープトルク上限値設定手段のうちの１つを選択するためのクリープトルク上限値設定選択手段と、第１のクリープトルク設定手段によって設定されたクリープトルク指令値が、選択されたクリープトルク上限値設定手段によって設定されたトルク上限値よりも大きいときには、トルク上限値を新たにクリープトルクの指令値とするための第２のクリープトルク設定手段とを含む。
【０００４】
特許文献１に開示された電気自動車によると、クリープトルク発生時にブレーキペダルが踏まれている場合には、クリープトルクに上限値を設けることにより、クリープトルクをカット可能であるとともに、車両状況に応じて複数のクリープトルク上限値設定特性線を選択的に使用して上限値を設定できる。したがって、ブレーキペダルが踏まれている場合において、車両状況に応じた適切なクリープトルクを発生させることができるので、運転性の向上や無駄な消費電力の削減を図ることができる。
【０００５】
また、車両に搭載された複数の装置に対する省エネルギモード（節約モード）の設定を簡単に行なうことができる技術が、特開２００６−１５１０３９号公報（特許文献２）に開示されている。
【０００６】
特許文献２に開示された車両の制御装置は、各々が通常モードと節約モードとを運転モードとして有する複数の装置と、複数の装置に通常モードと節約モードとの切換指示を与えるための入力手段（エコスイッチ）と、入力手段からの指示に応じて複数の装置に対する運転モードの切換を制御するための制御手段とを備える。
【０００７】
特許文献２に開示された制御装置によると、運転者は、複数の装置の運転モードを、入力手段により一括して節約モードに切り換えることができる。
【特許文献１】特開２００６−５０８１１号公報
【特許文献２】特開２００６−１５１０３９号公報
【発明の開示】
【発明が解決しようとする課題】
【０００８】
しかしながら、特許文献１に開示された電気自動車のように車両状況に応じたクリープトルクを発生させるのでは、以下のような問題がある。すなわち、運転者がブレーキペダルを操作して制動力を発生させている場合には、運転者の意思により、クリープ力を抑制している。このとき、特許文献１に開示された電気自動車においては車両状況に応じたクリープトルクを発生させるので、クリープトルクを完全にカットして無駄な電力消費を削減するという運転者の要求に十分に対応できないという問題がある。
【０００９】
また、特許文献２におけるエコスイッチ等で節約モードが選択されている場合に、無駄な電力消費を削減するという運転者の要求は、特に顕著であると推定できる。しかしながら、特許文献２には、このような運転者の要求は推定できてもクリープトルクについては何ら言及されていない。
【００１０】
本発明は、上述の課題を解決するためになされたものであって、その目的は、回転電機によりクリープトルクを発生する車両において、運転者が要求する無駄な消費電力の削減と運転性能との両立を図ることができる制御装置、制御方法、その方法を実現するプログラムおよびそのプログラムを記録した記録媒体を提供することである。
【課題を解決するための手段】
【００１１】
第１の発明に係る制御装置は、回転電機によりクリープトルクを発生する車両を制御する。この制御装置は、車両の状態に応じた要求クリープトルクを出力するように回転電機を制御するための手段と、車両の運転者によりブレーキペダルが操作されていることを検出するための手段と、車両が減速中であるか否かを判断するための手段と、通常モードおよび節約モードのいずれの運転モードが運転者により選択されているかを検出するための検出手段と、ブレーキペダルが操作されている場合において、車両が減速中であり、かつ節約モードが選択されていると、通常モードが選択されている場合に比べて低減された要求クリープトルクを算出するための算出手段とを含む。第４の発明に係る制御方法は、第１の発明に係る制御装置と同様の要件を備える。
【００１２】
第１または４の発明によると、車両の状態に応じた要求クリープトルクが出力される。たとえば、車速がしきい値より低くなると、車速に応じた要求クリープトルクが出力される。このとき、運転者がブレーキペダルを操作している場合には、運転者の意思により、クリープ力を抑制していることになる。そのため、ブレーキペダル操作時においては、クリープトルクを低減して無駄な電力消費量を削減することを運転者が要求している場合がある。無駄な電力消費を削減するという運転者の要求は、運転者が節約モードを選択している場合に特に顕著であると推定される。ここで、ブレーキペダル操作時であって、運転者が節約モードを選択している場合に一律にクリープトルクを低減してしまうと、ブレーキペダル解放後のスムーズな発進やブレーキペダルを踏みながらの微速走行をクリープトルクにより行なうことができず、運転者が要求する運転性能を損なう場合が考えられる。そこで、ブレーキペダルが操作されている場合において、節約モードが選択されており、かつ車両が減速中である場合に、通常モードが選択されている場合に比べて低減された要求クリープトルクが算出され、低減された要求クリープトルクを出力するように回転電機が制御される。減速中には、クリープトルクを低減しても、ブレーキペダル解放後のスムーズな加速やブレーキペダルを踏みながらの微速走行などを、慣性力により行なうことが可能である。これにより、運転者が要求する運転性能を損なうことなくクリープトルクを低減して、運転者が要求する回転電機の電力消費の削減を行なうことができる。その結果、回転電機によりクリープトルクを発生する車両において、運転者が要求する無駄な消費電力の削減と運転性能との両立を図ることができる制御装置および制御方法を提供することができる。
【００１３】
第２の発明に係る制御装置においては、第１の発明の構成に加えて、算出手段は、クリープトルクを発生させないように低減された要求クリープトルクを算出するための手段を含む。第５の発明に係る制御方法は、第２の発明に係る制御装置と同様の要件を備える。
【００１４】
第２または５の発明によると、算出手段は、クリープトルクを発生させないように低減された要求クリープトルクを算出する。これにより、回転電機の消費電力をより多く削減することができる。
【００１５】
第３の発明に係る制御装置においては、第１または２の発明の構成に加えて、車両には、各々が通常モードと節約モードとを運転モードとして有する複数の装置が備えられる。検出手段は、通常モードおよび節約モードのいずれの運転モードが複数の装置の運転モードとして運転者により選択されているかを検出するための手段を含む。第６の発明に係る制御方法は、第３の発明に係る制御装置と同様の要件を備える。
【００１６】
第３または６の発明によると、検出手段は、運転者が複数の装置に対して選択している運転モード（たとえば、エコスイッチで選択されているモード）を検出する。これにより、専用のセンサやスイッチなどを設けることなく、運転者が節約を要求していることを検出して、クリープトルクを低減することができる。
【００１７】
第７の発明に係るプログラムは、第４〜６のいずれかの発明に係る制御方法をコンピュータに実行させる。第８の発明に係る記録媒体においては、第４〜６のいずれかの発明に係る制御方法をコンピュータに実行させるためのプログラムをコンピュータ読み取り可能に記録する。
【００１８】
第７または第８の発明によると、コンピュータ（汎用でも専用でもよい）を用いて、第４〜６のいずれかの発明に係る制御方法を実現することができる。
【発明を実施するための最良の形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰返さない。
【００２０】
図１を参照して、本実施の形態に係る制御装置が搭載された電気自動車２０の構成について説明する。なお、本発明に係る制御装置を適用できる車両は、モータによりクリープトルクを発生する車両であれば、図１に示す電気自動車に限定されず、他の態様を有する電気自動車であってもよい。また、電気自動車ではなく、エンジンとモータとの動力により走行するハイブリッド車両であってもよい。
【００２１】
電気自動車２０は、駆動輪２２ａ，２２ｂと、駆動輪２２ａ，２２ｂにディファレンシャルギヤ２４を経由して接続された駆動軸２６と、駆動軸２６へ車輪駆動用の動力を出力する走行用のモータ３０と、このモータ３０にインバータ３４を経由して電力を供給するバッテリ３６と、電気自動車２０全体をコントロールする電子制御ユニット（ＥＣＵ）１００とを備える。
【００２２】
モータ３０は、たとえば周知の永久磁石（ＰＭ）型同期発電電動機として構成されており、インバータ３４からの３相交流電力により駆動される。
【００２３】
インバータ３４は、６個のスイッチング素子を有する周知のインバータ回路として構成されており、バッテリ３６からの直流電力をＰＷＭ（Pulse Width Modulation）制御等により擬似的な３相交流電力としてモータ３０へ供給する。
【００２４】
ＥＣＵ１００は、ＣＰＵ（Central Processing Unit）１０２を中心とするマイクロプロセッサとして構成されており、ＣＰＵ１０２の他に処理プログラムを記憶するＲＯＭ（Read Only Memory）１０４と、データを一時的に記憶するＲＡＭ（Random Access Memory）１０６と、図示しない入出力ポートとを備える。
【００２５】
ＥＣＵ１００へは、モータ３０の回転子の回転位置を検出する回転位置検出センサ３２からの検出信号θや、インバータ３４の各相に取付けられた図示しない電流センサからの相電流ｉｕ，ｉｖ，ｉｗ、シフトレバー５１の動作位置を検出するシフトポジションセンサ５２からのシフトポジションＳＰ、アクセルペダル５３の操作量を検出するアクセルペダルポジションセンサ５４からのアクセル開度ＡＣＣ、ブレーキペダル５５の操作量を検出するブレーキペダルポジションセンサ５６からのブレーキペダル操作量ＢＰ、車速センサ５８からの車速Ｖなどが入力ポートを経由して入力されている。なお、本実施の形態においては、ブレーキペダル５５の操作の度合としてブレーキペダル操作量ＢＰがＥＣＵ１００に入力される場合について説明するが、ＥＣＵ１００に入力される信号はこれに限定されない。たとえば、ＥＣＵ１００に入力される信号は、ブレーキペダル操作量ＢＰに代えて、ブレーキペダル踏力を示す信号であってもよい。
【００２６】
さらに、ＥＣＵ１００へは、エコスイッチ６０からの信号が入力ポートを経由して入力されている。
【００２７】
エコスイッチ６０は、ヒータおよびエアコン（いずれも図示せず）を、通常モードおよび節約モードのいずれの運転モードで運転するかを運転者が選択するためのスイッチである。エコスイッチ６０がオン状態にされている場合には、エコスイッチ６０は、運転者が節約モードを選択していることを表わす信号をＥＣＵ１００へ送信する。エコスイッチ６０がオフ状態にされている場合には、エコスイッチ６０は、運転者が通常モードを選択していることを表わす信号をＥＣＵ１００へ送信する。なお、エコスイッチ６０は、ヒータおよびエアコンの運転モードを選択することに限定されず、エコスイッチ６０を他の装置の運転モードの選択に用いてもよい。
【００２８】
ＥＣＵ１００からはヒータおよびエアコンの運転モードの切り換えを制御する信号が出力ポートを経由して出力されている。たとえば、ＥＣＵ１００は、エコスイッチ６０から運転者が節約モードを選択していることを表わす信号を受信した場合、通常モードから節約モードへ切り換える制御信号をヒータおよびエアコンに出力する。制御信号を受信したヒータおよびエアコンは、電力消費を削減するように、目標温度の設定などを変更して運転される。
【００２９】
ＥＣＵ１００からはインバータ３４へのスイッチング制御信号などが出力ポートを経由して出力されている。
【００３０】
ＥＣＵ１００がアクセル開度ＡＣＣと車速Ｖとに基づいて設定される要求トルクをモータ３０に出力させるようにモータ３０を駆動制御することにより、電気自動車２０は走行する。一方、ＥＣＵ１００がブレーキペダル操作量ＢＰと車速Ｖとに基づいて設定される制動トルクをモータ３０に出力させるようにモータ３０を駆動制御することにより、電気自動車２０は制動する。
【００３１】
ＥＣＵ１００は、モータ３０に対して上記要求トルクや制動トルクを発生するようなモータ電流が供給されるように、インバータ３４を構成するスイッチング素子のオン・オフを制御するスイッチング制御信号を生成する。インバータ３４は、このスイッチング制御信号に応答した電力変換を行なうことにより、モータ３０へ交流電力を供給する。
【００３２】
図２を参照して、本実施の形態に係る制御装置の機能ブロック図について説明する。図２に示すように、この制御装置は、クリープトルク反映率設定部１１０と、要求駆動力算出部１２０と、クリープトルク反映率設定部１１０および要求駆動力算出部１２０に接続されたクリープトルク算出部１３０と、クリープトルク算出部１３０に接続されたインバータ指令出力部１４０とを含む。
【００３３】
クリープトルク反映率設定部１１０は、ブレーキペダルポジションセンサ５６からのブレーキペダル操作量ＢＰ、車速センサ５８からの車速Ｖおよびエコスイッチ６０からの信号に基づいて、クリープトルク反映率を設定する。
【００３４】
要求駆動力算出部１２０は、アクセルペダルポジションセンサ５４からのアクセル開度ＡＣＣおよび車速センサ５８からの車速Ｖに基づいて、要求駆動力を算出する。
【００３５】
クリープトルク算出部１３０は、クリープトルク反映率設定部１１０で設定されたクリープトルク反映率および要求駆動力算出部１２０で算出された要求駆動力に基づいて、クリープトルクを算出する。
【００３６】
インバータ指令出力部１４０は、クリープトルク算出部１３０で算出されたクリープトルクをモータ３０に出力させるように、インバータ３４に指令信号を出力する。
【００３７】
このような機能ブロックを有する本実施の形態に係る制御装置は、デジタル回路やアナログ回路の構成を主体としたハードウェアでも、ＥＣＵ１００に含まれるＣＰＵ１０２およびＲＯＭ１０４とＲＯＭ１０４から読み出されてＣＰＵ１０２で実行されるプログラムとを主体としたソフトウェアでも実現することが可能である。一般的に、ハードウェアで実現した場合には動作速度の点で有利で、ソフトウェアで実現した場合には設計変更の点で有利であると言われている。以下においては、ソフトウェアとして制御装置を実現した場合を説明する。なお、このようなプログラムを記録した記録媒体についても本発明の一態様である。
【００３８】
図３を参照して、本実施の形態に係る制御装置であるＥＣＵ１００がクリープトルクをモータ３０に出力させる際に実行するプログラムの制御構造について説明する。なお、このプログラムは、たとえば、シフトポジションＳＰが走行ポジション（前進ポジション（Ｄポジション）や後進ポジション（Ｒポジション）等）である場合に、予め定められたサイクルタイムで繰り返し実行される。
【００３９】
ステップ（以下、ステップをＳと略す）１００にて、ＥＣＵ１００は、車速センサ５８からの信号に基づいて、車速Ｖを検出する。
【００４０】
Ｓ１０２にて、ＥＣＵ１００は、車速Ｖに基づくクリープトルク反映率を算出する。ＥＣＵ１００は、たとえば、車速Ｖをパラメータとするマップに基づいてクリープトルク反映率を算出する。このマップにおいては、図４に示すように、クリープトルク反映率は、車速ＶがＶ（１）より高いと０に設定され、車速ＶがＶ（１）から低くなるほど徐々に大きくなり、車速Ｖ＝０（停車時）において１になるように設定される。なお、車速Ｖに基づくクリープトルク反映率の算出方法はこれに限定されない。
【００４１】
Ｓ１０４にて、ＥＣＵ１００は、ブレーキペダルポジションセンサ５６からの信号に基づいて、ブレーキペダル操作量ＢＰを検出する。
【００４２】
Ｓ１０６にて、ＥＣＵ１００は、ブレーキペダル操作量ＢＰに基づくクリープトルク反映率を算出する。ＥＣＵ１００は、たとえば、ブレーキペダル操作量ＢＰをパラメータとするマップに基づいてクリープトルク反映率を算出する。このマップにおいては、図５に示すように、クリープトルク反映率は、ブレーキペダル操作量ＢＰがＢＰ（１）より大きいと０に設定され、ブレーキペダル操作量ＢＰがＢＰ（１）から小さくなるほど徐々に大きくなり、ブレーキペダル操作量ＢＰ＝０（ブレーキペダル解放時）において１になるように設定される。なお、ブレーキペダル操作量ＢＰに基づくクリープトルク反映率の算出方法はこれに限定されない。
【００４３】
Ｓ１０８にて、ＥＣＵ１００は、クリープトルク反映率を設定する。ＥＣＵ１００は、たとえば、車速Ｖに基づいて算出したクリープトルク反映率とブレーキペダル操作量ＢＰに基づいて算出したクリープトルク反映率とのうちのいずれか小さい方を、クリープトルク反映率として設定する。なお、クリープトルク反映率の設定方法はこれに限定されない。
【００４４】
Ｓ１１０にて、ＥＣＵ１００は、アクセルペダルポジションセンサ５４からの信号に基づいて、アクセル開度ＡＣＣを検出する。
【００４５】
Ｓ１１２にて、ＥＣＵ１００は、ブレーキがオンされているか否かを判断する。ＥＣＵ１００は、たとえば、ブレーキペダル操作量ＢＰが予め定められたしきい値より大きい場合に、ブレーキがオンされていると判断する。ブレーキがオンされていると（Ｓ１１２にてＹＥＳ）、処理はＳ１１４に移される。そうでないと（Ｓ１１２にてＮＯ）、処理はＳ１２０に移される。
【００４６】
Ｓ１１４にて、ＥＣＵ１００は、電気自動車２０が減速中であるか否かを判断する。ＥＣＵ１００は、たとえば、今回検出された車速Ｖが先回検出された車速Ｖよりも小さい場合に、電気自動車２０が減速中であると判断する。減速中であると（Ｓ１１４にてＹＥＳ）、処理はＳ１１６に移される。そうでないと（Ｓ１１４にてＮＯ）、処理はＳ１２０に移される。
【００４７】
Ｓ１１６にて、ＥＣＵ１００は、エコスイッチ６０からの信号に基づいて、エコスイッチ６０がオン状態にされている（すなわち、運転者が節約モードを選択している）か否かを判断する。オン状態にされていると（Ｓ１１６にてＹＥＳ）、処理はＳ１１８に移される。そうでないと（Ｓ１１６にてＮＯ）、処理はＳ１２０に移される。
【００４８】
Ｓ１１８にて、ＥＣＵ１００は、設定したクリープトルク反映率を０に低減して更新する。
【００４９】
Ｓ１２０にて、ＥＣＵ１００は、要求駆動力を算出する。ＥＣＵ１００は、たとえば、図６に示すように、車速Ｖとアクセル開度ＡＣＣとをパラメータとするマップに基づいて、要求駆動力を算出する。
【００５０】
Ｓ１２２にて、ＥＣＵ１００は、クリープトルクを算出する。ＥＣＵ１００は、算出された要求駆動力とクリープトルク反映率とを乗算した値を、クリープトルクとして算出する。
【００５１】
Ｓ１２４にて、ＥＣＵ１００は、算出されたクリープトルクをモータ３０に出力させるように、インバータ３４に指令信号を出力する。
【００５２】
以上のような構造およびフローチャートに基づく、本実施の形態に係る制御装置であるＥＣＵにより制御される電気自動車２０の動作について説明する。
【００５３】
運転者がＤポジションにおいてブレーキペダル５６を操作して、電気自動車２０が減速中である場合を想定する。図７に示すように、時刻Ｔ（１）で車速ＶがＶ（１）まで低下すると、車速Ｖに基づくクリープトルク反映率が０より大きな値として算出される（Ｓ１０２）。
【００５４】
車速Ｖに基づくクリープトルク反映率がブレーキペダル操作量ＢＰに基づくクリープトルク反映率より小さい場合、車速Ｖに基づくクリープトルク反映率がクリープトルク反映率として設定される（Ｓ１０８）。
【００５５】
しかし、時刻Ｔ（１）においては、ブレーキがオンされており（Ｓ１１２にてＹＥＳ）、運転者が自らクリープ力を抑制するブレーキ力を発生させている。さらに、図７に示すように、エコスイッチ６０がオン状態にされている場合（Ｓ１１６にてＹＥＳ）には、運転者は、無駄な電力の削減を強く要求していると考えられる。さらに、図７に示すように、時刻Ｔ（１）において、電気自動車２０は減速中であり（Ｓ１１４にてＹＥＳ）、クリープトルクを低減しても、ブレーキペダル解放後のスムーズな加速やブレーキペダルを踏みながらの微速走行などを、慣性力により行なうことが可能である。すなわち、クリープトルクを低減しても運転者が要求する運転性能を損なうことはないと考えられる。
【００５６】
そこで、設定されたクリープトルク反映率が０に低減されて更新され（Ｓ１１８）、クリープトルクが０に算出される（Ｓ１２０、Ｓ１２２）。そのため、モータ３０は駆動せず（Ｓ１２４）、図７に示すように、クリープトルクに使用する電力は０のまま維持される。これにより、図７の一点鎖線に示すような無駄な電力消費を、運転者が要求する運転性能を損なうことなく削減することができる。
【００５７】
以上のように、本実施の形態に係る制御装置によれば、ブレーキがオンされており、減速中であり、エコスイッチがオンされていると、クリープトルクが低減される。そのため、運転者が要求する無駄な電力消費の削減と運転性能とを両立することができる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５９】
【図１】本発明の実施の形態に係る制御装置が搭載される車両の構成を示す概略ブロック図である。
【図２】本発明の実施の形態に係る制御装置の機能ブロック図である。
【図３】本発明の実施の形態に係る制御装置であるＥＣＵの制御構造を示すフローチャートである。
【図４】車速とクリープトルク反映率との関係を示す図である。
【図５】ブレーキ操作量とクリープトルク反映率との関係を示す図である。
【図６】車速、アクセル開度および要求駆動力の関係を示す図である。
【図７】本発明の実施の形態に係る制御装置が搭載される車両においてクリープトルクに使用される電力を示すタイミングチャートである。
【符号の説明】
【００６０】
２０  電気自動車、２２ａ，２２ｂ  駆動輪、２４  ディファレンシャルギヤ、２６  駆動軸、３０  モータ、３２  回転位置検出センサ、３４  インバータ、３６  バッテリ、５１  シフトレバー、５２  シフトポジションセンサ、５３  アクセルペダル、５４  アクセルペダルポジションセンサ、５５  ブレーキペダル、５６  ブレーキペダルポジションセンサ、５８  車速センサ、６０  エコスイッチ、１００  ＥＣＵ、１０２  ＣＰＵ、１０４  ＲＯＭ、１０６  ＲＡＭ。
【図１】
2008154429.tif 000003
【図２】
2008154429.tif 000004
【図３】
2008154429.tif 000005
【図４】
2008154429.tif 000006
【図５】
2008154429.tif 000007
【図６】
2008154429.tif 000008
【図７】
2008154429.tif 000009